(57)【特許請求の範囲】
【請求項１】
中通し竿の竿体先端に配置され釣糸が通過するトップガイドであって、
前記竿体先端の外周に嵌合される嵌合筒部と、
前記嵌合筒部の穂先側に配置され竿体先端よりも前方に突出する突出筒部と、  前記突出筒部の先端から内面にわたって配置され、その最小内径が竿体先端の内径よりも大きい穂先側の釣糸案内部と、
前記突出筒部の内面で前記穂先側の釣糸案内部よりも元竿側に配置された嵌入穴部と、  前記嵌入穴部に嵌入される保持環部と、
前記保持環部の内周に設けられた嵌入段部と、
前記嵌入段部に嵌入され、その最小内径が竿体先端の内径よりも小さい元竿側の釣糸案内部と、
を備えた中通し竿のトップガイド。
【請求項２】
前記釣糸案内部が、サーメットセラミックスからなる前記請求項１に記載の中通し竿のトップガイド。
【請求項３】
竿体の内部に釣糸を通す釣糸通路を備えた中通し竿であって、前記竿体の先端に請求項１または２に記載のトップガイドを備えた中通し竿。
【請求項４】
前記竿体が、その内面に釣糸案内凸部を有する前記請求項３に記載の中通し竿。
【発明の詳細な説明】
【０００１】
【産業上の利用分野】
本発明は、竿体の内部に釣糸を通す中通し竿と、このような中通し竿の先端に配置されるトップガイドに関する。
【０００２】
【従来の技術】
中通し竿においては、釣糸の繰り出し及び巻き取りの際に、竿体の内部に設けられた釣糸通路を釣糸が通過する。釣糸は竿体の先端から外部に延びる。このような中通し竿では、竿体の先端で釣糸の方向が変わるので、竿体先端の角部で釣糸が擦られて切れたり弱くなったりし易い。
【０００３】
そこで、竿体先端に釣糸を保護するためのトップガイドが設けられる。トップガイドは、金属などからなる管体の内面に摩擦係数の小さなセラミックスなどからなる保護リングが装着されており、保護リングが釣糸を滑らかに案内して、釣糸が切れたり弱くなったりするのを防ぐ。トップガイドの具体的技術が、特開平４−１１７２３２号公報に示されている。この技術は、トップガイドの先端内面に配置された保護リングの断面の曲率半径を竿体先端の半径と同等以上に形成しておくことによって、釣糸が通過する際の抵抗を減少させる。
【０００４】
実開平６−２４４６４号公報に示された技術は、トップガイドの穂先側と後端側の２個所に釣糸と接触するセラミックリングを設け、そのうちの後端側のセラミックリングの内径をトップガイド本体の内径よりも小さくしておくことによって、釣糸の抵抗を少なくするとともに釣糸でトップガイドの内面が傷つかないようにしている。
【０００５】
【発明が解決しようとする課題】
前記した特開平４−１１７２３２号公報の技術では、トップガイドの穂先側のみに保護リングが配置され、しかも、保護リングの内径が竿体先端の内径よりも大きいため、釣糸が竿体先端に接触するという問題がある。釣糸が竿体先端に接触すれば、釣糸が擦り切れたり釣糸の通過抵抗が大きくなったりする。
【０００６】
前記した実開平６−２４４６４号公報の技術では、竿体先端に隣接してセラミックリングが配置されているので、釣糸が竿体先端に接触する心配は少ない。しかし、複数のセラミックリングをトップガイドに取り付ける手間がかかる。特に、トップガイドの元竿側に取り付けられるセラミックリングは、径が小さくて取扱いが難しく、狭いトップガイドの内部空間で釣糸を保護するのに適切な位置および姿勢で正確に取り付けるのは困難である。
【０００７】
本発明の目的は、中通し竿のトップガイドとして、釣糸の保護が良好に行えるとともに釣糸を保護する部材の取り付けが確実かつ簡単に行えるようにすることにある。
【０００８】
【課題を解決するための手段】
発明１の中通し竿のトップガイドは、中通し竿の竿体先端に配置され釣糸が通過するものであり、嵌合筒部と突出筒部と穂先側の釣糸案内部と嵌入穴部と保持環部と嵌入段部と元竿側の釣糸案内部とを備えている。嵌合筒部は、竿体先端の外周に嵌合される。突出筒部は、嵌合筒部の穂先側に配置され竿体先端よりも前方に突出する。穂先側の釣糸案内部は、突出筒部の先端から内面にわたって配置され、その最小内径が竿体先端の内径よりも大きい。嵌入穴部は、突出筒部の内面で穂先側の釣糸案内部よりも元竿側に配置される。保持環部は、嵌入穴部に嵌入される。嵌入段部は、保持環部の内周に設けられる。元竿側の釣糸案内部は、嵌入段部の内周に嵌入され、その最小内径が竿体先端の内径よりも小さい。
【０００９】
発明２の中通し竿のトップガイドは、発明１において、釣糸案内部が、サーメットセラミックスからなる。発明３の中通し竿は、竿体の内部に釣糸を通す釣糸通路を備えた中通し竿である。竿体の先端に発明１または２のいずれかのトップガイドを備える。発明４の中通し竿は、発明３において、竿体が、その内面に釣糸案内凸部を有する。
【００１０】
【作用】
発明１のトップガイドは、元竿側の釣糸案内部を保持環部の嵌入段部に取り付け、この保持環部を突出筒部の嵌入穴部に挿入して組み立てることができる。トップガイドに組み込む前に保持環部の嵌入段部に釣糸案内部を取り付けるのは容易であり、釣糸案内部が取り付けられた保持環部を嵌入穴部に挿入して所定位置に配置するのも容易である。保持環部に対する嵌入段部の加工や、保持環部と嵌入穴部との位置合わせを正確に加工しておくのは比較的容易であるから、保持環部の嵌入段部に取り付けられた釣糸案内部の位置および姿勢も正確に設定される。小さな釣糸案内部を狭い嵌入穴部の奥まで挿入するような難しい作業が不要になるので、トップガイドの製造組立が簡単かつ能率的に行える。
【００１１】
発明２のトップガイドは、釣糸案内部がサーメットセラミックスからなり、サーメットセラミックスは表面が滑らかで摩擦係数が小さく耐久性にも優れているので、釣糸の抵抗を削減できるとともにトップガイドの耐久性を向上できる。発明３の中通し竿は、竿体の先端に発明１または２のいずれかのトップガイドを備えているので、釣糸の抵抗が少なくなる。
【００１２】
発明４の中通し竿は、トップガイドの釣糸案内部と竿体の釣糸案内凸部とで釣糸を案内するので、釣糸の案内および保護が確実に行える。
【００１３】
【実施例】
図１に示す中通し竿１０は、中通し竿１０を操作するためのグリップ部１２と、グリップ部１２の穂先側に連結された竿体１４とを有する。グリップ部１２の穂先側には、釣糸３０を巻回するリール２０が装着されている。竿体１４は筒状をなし、竿元側に釣糸３０の導入口１６を有する。竿体１４の先端には管状のトップガイド４０が配置されている。リール２０から引き出された釣糸３０は、導入口１６から竿体１４の内部に入り、トップガイド４０から外部に引き出される。
【００１４】
［実施例を説明するための参考例］
図２に示すように、トップガイド４０には、竿体１４の先端に嵌合される嵌合筒部４１と竿体１４の先端から前方に突出する突出筒部４２とを有する。嵌合筒部４１が突出筒部４２の内部にねじ込まれて一体的に連結される。嵌合筒部４１は、竿体１４の外形に沿った直線筒状をなしている。嵌合筒部４１は、竿体１４に対して着脱自在に嵌合されるようになっているが、着脱する必要がなければ、接着などの手段で竿体１４に固定されていてもよい。
【００１５】
突出筒部４２の穂先側には、穂先側から元竿側に向かって段階的に内径が小さくなる複数段の嵌入段部４３、４５を有する。突出筒部４２の先端から内面側の第１の嵌入段部４３にかけて、穂先側の釣糸案内部４４が嵌め込まれている。釣糸案内部４４は、サーメットセラミックスの成形体からなる。釣糸案内部４４は、突出筒部４２の先端を覆い、釣糸案内部４４の先端外周が突出筒部４２の外周に一致している。釣糸案内部４４の断面形状は、中心側に向けて滑らかに突出した湾曲形状をなしている。釣糸案内部４４の内径Ｄ1 は、竿体１４の内径ｄ0 よりも大きくなっている。
【００１６】
突出筒部４２の第２の嵌入段部４５には、元竿側の釣糸案内部４６が嵌め込まれている。元竿側の釣糸案内部４６も穂先側の釣糸案内部４４と同様の材料からなる。釣糸案内部４６の断面形状も、中心側に向けて滑らかに突出した湾曲形状をなしている。釣糸案内部４６の内径Ｄ2 は、竿体１４の内径ｄ0 よりも小さくなっている。
【００１７】
竿体１４は、その内面に螺旋状に突出した釣糸案内凸部１４ａを有する。釣糸案内凸部１４ａの断面形状は、中心側に向けて狭くなる概略台形状をなし、台形状の上辺角部が円弧状に丸められている。竿体１４の内部を通過する釣糸３０が釣糸案内凸部１４ａに沿って移動する。前記した竿体１４の内径ｄ0 とは、突出した釣糸案内凸部１４ａの内径になる。
【００１８】
上記参考例では、突出筒部４２の嵌入段部４３、４５に対して、元竿側に配置される釣糸案内部４６から順番に嵌入していくことで、複数の釣糸案内部４６、４４を簡単に取り付けることができる。使用時には、釣糸３０が、竿体１４の釣糸案内凸部１４ａを経て複数段の釣糸案内部４６、４４で案内されることになる。
【００１９】
なお、上記参考例では、釣糸案内部４４、４６を２個有するが、３個以上の釣糸案内部４４…を設けることもできる。この場合は、嵌入段部４３、４５を３段以上に設けておけばよい。上記参考例では、複数の釣糸案内部４４、４６が互いに隣接して配置されているので、この隣接した釣糸案内部４４、４６が釣糸３０に確実に当接して案内し保護することができる。複数の釣糸案内部４４、４６が隣接して配置されていれば、釣糸案内部４４、４６の間に大きな隙間が生じないので、この隙間にゴミや異物が溜まり難いという利点もある。
〔実施例の説明〕
図３に示すように、トップガイド１４０は、前記同様に竿体１４に嵌合される嵌合筒部１４１と、嵌合筒部１４１の穂先側に一体成形された突出筒部１４２とを有する。
【００２０】
突出筒部１４２の先端には径が大きくなった拡大筒部１４３を有する。拡大筒部１４３の内面側には嵌入段部１４５を有する。嵌入段部１４５には、釣糸案内部１４４が嵌入されている。釣糸案内部１４４は、突出筒部１４２の先端を覆い、釣糸案内部１４４の先端外周が突出筒部１４２の外周に一致している。釣糸案内部１４４の断面形状は、中心側に向けて滑らかに突出した湾曲形状を有している。釣糸案内部１４４の内径Ｄ1 は、竿体１４の内径ｄ0 よりも大きくなっている。
【００２１】
突出筒部１４２のうち、釣糸案内部１４４が取り付けられた拡大筒部１４３よりも嵌合筒部１４１に近い側には円穴状の嵌入穴部１４６を有する。嵌入穴部１４６には円環状の保持環部１５０が嵌入される。保持環部１５０はセラミックスなどからなる。保持環部１５０の内周には嵌入段部１５４を有し、嵌入段部１５４には、元竿側の釣糸案内部１５２が取り付けられている。釣糸案内部１５２の断面形状は、中心側に向けて滑らかに突出した湾曲形状をなしており、釣糸案内部１５２の内径Ｄ2 は、竿体１４の内径ｄ0 よりも小さくなっている。
【００２２】
上記実施例でトップガイド１４０を組み立てる際には、予め保持環部１５０の嵌入段部１５４に元竿側の釣糸案内部１５２を嵌入して取り付けておき、この釣糸案内部１５２が取り付けられた保持環部１５０を突出筒部１４２の嵌入穴部１４６に嵌入して取り付ける。釣糸案内部１５２は、保持環部１５０の嵌入段部１５４の奥側の肩部分と嵌入穴部１４６の元竿側の肩部分との間に挟まれた状態になる。その後で、拡大筒部１４３の嵌入段部１４５に穂先側の釣糸案内部１４４を嵌め込んで取り付ける。
［その他の実施例の説明］
（ａ）中通し竿１０の構造は、図示した実施例のほか、通常の中通し竿と同様の構造を適宜に組み合わせて構成することができる。リール２０やグリップ部１２、導入口１６などの構造も、通常の中通し竿と同様の構造が採用できる。
【００２３】
（ｂ）トップガイド１４０のうち、嵌合筒部１４１および突出筒部１４２の材料は、従来のトップガイドと同様の材料が用いられ、具体的には金属、合成樹脂、木質材、セラミックスなどが挙げられる。
【００２４】
（ｃ）釣糸案内部１４４、１４６の材料は、前記したサーメットセラミックスのように、摩擦係数が小さく耐久性に優れた材料が好ましい。サーメットセラミックス以外のセラミックスや金属、合成樹脂も使用できる。
【００２５】
（ｄ）竿体１４の内面には、前記した螺旋状の釣糸案内凸部１４ａのほか、各種構造の釣糸案内構造を設けておくことができる。例えば、釣糸案内部１４４…と同様の部材を、竿体１４の内面に所定間隔毎に取り付けておくことができる。
【００２６】
【発明の効果】
発明１のトップガイドは、前記のような保持環部を有することで、釣糸案内部の取り付けが容易になり、トップガイドの製造組立が簡単かつ能率的に行える。発明２のトップガイドは、釣糸に対する抵抗を削減できるとともに、釣糸案内部およびトップガイドの耐久性が向上する。発明３の中通し竿は、上記のようなトップガイドを備えていることにより、釣糸に対する抵抗を削減でき、使用性能が向上する。
【００２７】
発明４の中通し竿は、トップガイドの釣糸案内部と竿体の釣糸案内凸部との両方で釣糸を確実かつスムーズに案内することができる。
【図面の簡単な説明】
【図１】本発明の実施例を表す中通し竿全体の正面図。
【図２】本発明の参考例を表すトップガイドの拡大断面図。
【図３】本発明の実施例を表すトップガイドの拡大断面図。
【符号の説明】
１０  中通し竿
１４  竿体
３０  釣糸
４０、１４０  トップガイド
４１、１４１  嵌合筒部
４２、１４２  突出筒部
４３、４５  嵌入段部
４４、１４４  穂先側の釣糸案内部
４６、１５２  元竿側の釣糸案内部
１５０  保持環部
１５４  嵌入段部
Ｄ1   穂先側釣糸案内部の内径
Ｄ2   元竿側釣糸案内部の内径
ｄ0   竿体先端の内径
【図１】
0003596823.tif 000002
【図２】
0003596823.tif 000003
【図３】
0003596823.tif 000004